(57)【要約】本発明は、押しボタンの下降距離が調節されるスポイト型化粧品容器に関し、さらに詳細には、(1)一方の側に吐出口が形成された容器本体と、(2)容器本体の他方の側に結合される下降制限部材と、(3)下降制限部材に回転可能に結合されて、加圧によって下側へと移動する押しボタンと、(4)押しボタンを弾力支持する弾性部材とを備え、下降制限部材に、深さが異なる多数のメイン凹部を形成し、これらメイン凹部と、それぞれ、同一の深さを有し対をなす補助凹部を形成し、メイン凹部に挿入されるメイン突起、及び、補助凹部に挿入される補助突起を押しボタンに形成して互いに対応させることで、押しボタンを一定の角度で回転させてから加圧すると、押しボタンのメイン突起が下降制限部材のメイン凹部を下降すると同時に、補助突起が補助凹部に挿入されることによって、押しボタンが、いずれか一方に傾かずに、水平を維持しながら安定して下降するようにした、スポイト型化粧品容器に関する。
2021513446.tif 000002
【特許請求の範囲】
【請求項１】
一方の側に吐出口が形成された容器本体と、
前記容器本体の他方の側に固定結合され、深さが異なる多数のメイン凹部が形成され、前記メイン凹部とそれぞれ同一の深さを有する多数の補助凹部が下降制限段部に形成された、下降制限部材と、
前記下降制限部材に回転可能に結合され、前記メイン凹部に挿入されるメイン突起、及び、前記補助凹部に挿入される補助突起が形成された、押しボタンと、
前記押しボタンを弾力支持する、弾性部材とを含み、
前記押しボタンを一定の角度で回転させると、押しボタンのメイン突起が、下降制限部材のメイン凹部のうちの、いずれか一つに挿入されるとともに、補助突起が、補助凹部または下降制限段部に位置するようになることを特徴とする、押しボタンの下降距離が調節されるスポイト型化粧品容器。
【請求項２】
前記容器本体の一方の側には、容器本体の吐出口を開閉する容器カバーがさらに結合されることを特徴とする、請求項１に記載の押しボタンの下降距離が調節されるスポイト型化粧品容器。
【請求項３】
前記容器本体の他方の側には、容器本体及び下降制限部材を包み込む外キャップが結合されることを特徴とする、請求項１に記載の押しボタンの下降距離が調節されるスポイト型化粧品容器。
【請求項４】
前記下降制限部材にはピストン挿入孔が形成され、前記押しボタンには、ピストンが形成されて、前記ピストン挿入孔に挿入されることを特徴とする、請求項１に記載の押しボタンの下降距離が調節されるスポイト型化粧品容器。
【請求項５】
前記下降制限部材におけるメイン凹部は、互いに深さが異なる第１ないし第３メイン凹部で構成され、前記補助凹部は、第２メイン凹部と対をなす第２補助凹部、及び、第３メイン凹部と対をなす第３補助凹部で構成されることを特徴とする、請求項１に記載の押しボタンの下降距離が調節されるスポイト型化粧品容器。
【請求項６】
前記第１メイン凹部から、第２メイン凹部及び第３メイン凹部へと向かうほど、漸次に深さが深くなることを特徴とする、請求項５に記載の押しボタンの下降距離が調節されるスポイト型化粧品容器。
【請求項７】
前記押しボタンにおけるメイン突起の両側には弾性スリットが形成され、前記メイン突起が、外側へと突出形成されて、下降制限部材のメイン凹部に常に挿入された状態に保たれることによって、前記メイン突起が、メイン凹部に弾力的に挿入・離脱されることを特徴とする、請求項１に記載の押しボタンの下降距離が調節されるスポイト型化粧品容器。
【請求項８】
前記メイン突起の外径は、メイン凹部が形成された第２上方延長突出リングの内径よりも大きく形成され、補助突起の外径は、第２上方延長突出リングの内径よりも小さく形成されることを特徴とする、請求項７に記載の押しボタンの下降距離が調節されるスポイト型化粧品容器。
【請求項９】
前記下降制限部材の一方の側に、容器本体と異なる内容物が収容される異種内容物収容空間が形成され、前記下降制限部材に、異種内容物収容空間を閉鎖する異種内容物閉鎖部が結合されることを特徴とする、請求項１に記載の押しボタンの下降距離が調節されるスポイト型化粧品容器。
【請求項１０】
前記異種内容物閉鎖部が、押しボタンの加圧によって移動することで下降制限部材から分離されて、異種内容物収容空間が開放されることによって、異種の内容物が混合されることを特徴とする、請求項９に記載の押しボタンの下降距離が調節されるスポイト型化粧品容器。
【発明の詳細な説明】
【技術分野】
【０００１】
本発明は、押しボタンの下降距離が調節されるスポイト型化粧品容器に関し、さらに詳細には、一方の側に吐出口が形成された容器本体と、前記容器本体の他方の側に結合される下降制限部材と、前記下降制限部材に回転可能に結合されて加圧によって下側に移動する押しボタン及び前記押しボタンを弾力支持する弾性部材とを形成したのであって、前記下降制限部材に、深さが異なる多数のメイン凹部を形成し、深さが異なるメイン凹部と、それぞれ、同一の深さを有して対をなす補助凹部を形成し、前記メイン凹部に挿入されるメイン突起、及び、補助凹部に挿入される補助突起を前記押しボタンに形成して互いに対応されるようにすることで、押しボタンを一定の角度で回転させた後で加圧すると、前記押しボタンのメイン突起が、下降制限部材のメイン凹部を下降すると同時に、前記補助突起が補助凹部に挿入されることによって、前記押しボタンが、いずれか一方に傾かずに、水平を維持しながら安定して下降するようにした、押しボタンの下降距離が調節されるスポイト型化粧品容器に関する。
【背景技術】
【０００２】
一般的に、女性は、自身の外見をさらに美しく装うために多様な化粧品を使用するのであるが、前記化粧品は、使用目的に応じて、基礎化粧品と、色調化粧品及び機能性化粧品などに分けられる。
【０００３】
前記のように、多様な機能を有する化粧品が開発されることによって、化粧品を入れることができる多様な化粧品容器の開発も必要となった。
【０００４】
前記化粧品のうち、粘度を有する液状やゲルの形態の化粧品は、一般に、チューブ容器や硬質のプラスチック容器、またはガラス容器といった化粧品容器に貯蔵され、化粧をする際に、前記化粧品容器を加圧したり、逆さまにひっくり返したりして、化粧品を使用者の手に排出させた後、パフといった化粧道具または手を利用して肌に塗布する方式で使用された。
【０００５】
しかし、前記のような従来の化粧品容器は、吐出される化粧品の量を毎回一定に調節するのが難しく、化粧品の浪費を招くという問題点があった。
【０００６】
前記のような問題点を解決するために、図１に示されるように、韓国登録実用新案第２０−０４４０６２０号に定量吐出が可能なスポイト型化粧品容器が開示されたが、前記従来のスポイト型化粧品容器は、下端に吐出口を有するスポイト本体を備え、前記吐出口には開閉キャップを結合し、前記スポイト本体の上部には軟質の弾性内キャップを結合し、前記弾性内キャップの上側には外キャップを被せて固定し、前記外キャップ内にはプッシュ押しボタンを形成して、前記プッシュ押しボタンの加圧によって、スポイト本体内の内容物が吐出口を通じて排出されるようにする構造である。
【０００７】
しかし、前記従来のスポイト型化粧品容器は、化粧の部位及び方法などに応じて、使用者が、プッシュ押しボタンの下降距離を調節することができないという限界があった。
【０００８】
このような問題点を解決するために、図２に示されるように、韓国登録実用新案第２０−０４８４１５６号に、定量取出機能を有するスポイト型化粧品容器が開示されたのであるが、前記従来技術は、押しボタン１の外周面に加圧制限突起１ａを形成し、回転体２の一側に多数の段部が段階的に設けられた加圧制限凹部２ａを形成して、前記押しボタン１の加圧制限突起１ａが挿入されるようにすることで、前記回転体２を回転することによって、押しボタン１が押される距離を段階的に調節することができ、このことを通じて、化粧液を所望する量だけ取り出すことができるようにした構造である。
【０００９】
しかし、前記従来技術は、加圧制限突起１ａが、押しボタン１の一側のみに形成されており、押しボタン１が押されると、前記押しボタン１が水平を維持しながら安定して移動できず、一方に傾くことで作動不良が発生するという問題点があった。
【００１０】
また、前記従来技術は、使用者が化粧液の取出量を調節するために、回転体２を一定の角度で回転させた後、押しボタン１を加圧して前記押しボタン１の加圧制限突起１ａが回転体２の加圧制限凹部２ａ内を下降する際、前記押しボタン１の加圧制限突起１ａが、遊動することで隣接する他の段部に引っ掛かって、押し下げられないという問題点があり、また、前記加圧制限突起１ａが、加圧制限凹部２ａのどの段部に位置することとなるのか確かめられず、取出量の調節が難しいという問題点があった。
【発明の概要】
【発明が解決しようとする課題】
【００１１】
本発明は、前記のような問題点を解決するために案出されたものであって、さらに詳細には、一方の側に吐出口が形成された容器本体と、前記容器本体の他方の側に結合される下降制限部材と、前記下降制限部材に回転可能に結合されて、加圧によって下側へと移動する押しボタンと、前記押しボタンを弾力支持する弾性部材とを形成したのであって、前記下降制限部材に、深さが異なる多数のメイン凹部を形成し、深さが異なるメイン凹部と、それぞれ同一の深さを有しつつ対をなす補助凹部を形成し、前記メイン凹部に挿入されるメイン突起と補助凹部に挿入される補助突起を前記押しボタンに形成して互いに対応されるようにすることで、押しボタンを一定の角度で回転させた後で加圧すると、前記押しボタンのメイン突起が、下降制限部材のメイン凹部を下降すると同時に、前記補助突起が補助凹部に挿入されることによって、前記押しボタンが、いずれか一方に傾かずに、水平を維持しながら安定して下降して、使用の利便性が向上した、押しボタンの下降距離が調節されるスポイト型化粧品容器を提供することに目的がある。
【００１２】
また、本発明は、押しボタンのメイン突起の両側に弾性スリットを形成し、前記メイン突起を外側へと突出形成して、前記メイン突起が、下降制限部材のメイン凹部に常に挿入された状態に保たれるようにすることで、押しボタンを強制的に回転させる際に、前記押しボタンのメイン突起が、弾性スリットによって弾力的に後退することで、メイン凹部を抜け出て回転した後、隣接する他のメイン凹部に弾力的に挿入されるというようにして、押しボタンが任意に回転しないようにしたのであり、これにより、前記押しボタンのメイン突起が遊動することで、隣接する他の部分に引っ掛かって誤作動が生じるのを防止するのはもちろんのこと、これだけでなく、使用者が、感触を通じて押しボタンの昇降距離が調節されたことを容易に認知することができるようにした、押しボタンの下降距離が調節されるスポイト型化粧品容器を提供することに目的がある。
【課題を解決するための手段】
【００１３】
本発明は、一側に吐出口が形成された容器本体と、
前記容器本体の他側に固定結合され、深さが異なる多数のメイン凹部が形成され、前記メイン凹部と、それぞれ同一の深さを有する多数の補助凹部が下降制限段部に形成された下降制限部材と、
前記下降制限部材に回転可能に結合され、前記メイン凹部に挿入されるメイン突起、及び、前記補助凹部に挿入される補助突起が形成された押しボタンと、
前記押しボタンを弾力支持する弾性部材とを含み、
前記押しボタンを一定の角度で回転させると、押しボタンのメイン突起が、下降制限部材のメイン凹部のうちの、いずれか一つに挿入されると同時に、補助突起が補助凹部または下降制限段部に位置するようになることを特徴とする、押しボタンの下降距離が調節されるスポイト型化粧品容器を提供する。
【００１４】
また、前記容器本体の一方の側には、容器本体の吐出口を開閉する容器カバーがさらに結合されうる。
【００１５】
また、前記容器本体の他方の側には、容器本体及び下降制限部材を包み込む外キャップが結合されうる。
【００１６】
また、前記下降制限部材にはピストン挿入孔が形成され、前記押しボタンにはピストンが形成されて前記ピストン挿入孔に挿入されるのでありうる。
【００１７】
また、前記下降制限部材のメイン凹部は、互いに深さが異なる第１ないし第３メイン凹部で構成され、前記補助凹部は、第２メイン凹部と対をなす第２補助凹部、及び、第３メイン凹部と対をなす第３補助凹部で構成されるのでありうる。
【００１８】
また、前記第１メイン凹部から第２メイン凹部と第３メイン凹部に向かうほど漸次に深さが深くなることが好ましい。
【００１９】
また、前記押しボタンのメイン突起両側には弾性スリットが形成され、前記メイン突起が外側に突出形成されて下降制限部材のメイン凹部に常に挿入された状態で維持されることによって、前記メイン突起がメイン凹部に弾力的に挿入・離脱されうる。
【００２０】
また、前記メイン突起の外径は、メイン凹部が形成された第２上方延長突出リングの内径よりも大きく形成され、補助突起の外径は、第２上方延長突出リングの内径よりも小さく形成されることが好ましい。
【００２１】
また、前記下降制限部材の一方の側に、容器本体と異なる内容物が収容される異種内容物収容空間が形成され、前記下降制限部材に、異種内容物収容空間を閉鎖する異種内容物閉鎖部が結合されるのでありうる。
【００２２】
また、前記異種内容物閉鎖部が、押しボタンの加圧によって移動することで下降制限部材から分離されて、異種内容物収容空間が開放されることによって、異種の内容物が混合されるのでありうる。
【発明の効果】
【００２３】
本発明に係る押しボタンの下降距離が調節されるスポイト型化粧品容器は、一側に吐出口が形成された容器本体と、前記容器本体の他側に結合される下降制限部材と、前記下降制限部材に回転可能に結合されて加圧によって下側に移動する押しボタン及び前記押しボタンを弾力支持する弾性部材を形成したのであって、前記下降制限部材に深さが異なる多数のメイン凹部を形成し、各々の深さが異なるメイン凹部と同一の深さを有しつつ対をなす補助凹部を形成し、前記メイン凹部に挿入されるメイン突起と補助凹部に挿入される補助突起を前記押しボタンに形成して互いに対応されるようにすることで、押しボタンを一定の角度で回転させた後、加圧すると前記押しボタンのメイン突起が下降制限部材のメイン凹部を下降すると同時に、前記補助突起が補助凹部に挿入されることによって、前記押しボタンが、いずれか一方に傾かずに水平を維持しながら安定して下降して使用の便宜性が向上する効果がある。
【００２４】
また、本発明に係る押しボタンの下降距離が調節されるスポイト型化粧品容器は、押しボタンのメイン突起の両側に弾性スリットを形成し、前記メイン突起を外側へと突出形成して前記メイン突起が下降制限部材のメイン凹部に常に挿入された状態で維持されるようにすることで、押しボタンを強制的に回転させる際に、前記押しボタンのメイン突起が、弾性スリットによって弾力的に後退しながらメイン凹部を抜け出て回転した後、隣接する他のメイン凹部に弾力的に挿入されるようにして、押しボタンが任意に回転しないようにし、これにより、前記押しボタンのメイン突起が遊動しながら隣接する他の部分に引っ掛かって誤作動が生じるのを防止することはもちろん、使用者が、感触を通じて押しボタンの昇降距離が調節されたことを容易に認知することができるという効果がある。
【図面の簡単な説明】
【００２５】
【図１】従来の定量吐出が可能なスポイト型化粧品容器である。
【図２】従来の定量取出機能を有するスポイト型化粧品容器である。
【図３】本発明の一実施例に係るスポイト型化粧品容器の斜視図である。
【図４】本発明の一実施例に係るスポイト型化粧品容器の分解斜視図である。
【図５】本発明の一実施例に係るスポイト型化粧品容器の断面図である。
【図６】本発明の一実施例に係るスポイト型化粧品容器の押しボタンを回転させる形態を示す平面図である。
【図７】本発明の一実施例に係るスポイト型化粧品容器の押しボタンを加圧して内容物を吐出させる形態を示す部分断面図である。
【図８】本発明の一実施例に係るスポイト型化粧品容器の押しボタンをさらに回転させる形態を示す平面図である。
【図９】本発明の一実施例に係るスポイト型化粧品容器の押しボタンを加圧してさらに多量の内容物を吐出させる形態を示す部分断面図である。
【図１０】本発明の一実施例に係るスポイト型化粧品容器の断面図である。
【図１１】本発明の他の実施例に係るスポイト型化粧品容器の押しボタンを押し下げて異種の内容物を混合させる形態を示す部分断面図である。
【発明を実施するための形態】
【００２６】
本発明と本発明の実施によって達成される技術的課題は、次に説明する好ましい一実施例によって明確になる。以下、添付の図面を参照して、本発明に係る、押しボタンの下降距離が調節されるスポイト型化粧品容器についての一実施例を詳細に考察すると、次の通りである。
【００２７】
図３は、本発明の一実施例に係るスポイト型化粧品容器の斜視図であり、図４は、本発明の一実施例に係るスポイト型化粧品容器の分解斜視図であり、図５は、本発明の一実施例に係るスポイト型化粧品容器の断面図である。
【００２８】
本発明の一実施例に係る押しボタンの下降距離が調節されるスポイト型化粧品容器は、(1) 一方の側に吐出口１２が形成された容器本体１０と、(2) 前記容器本体１０の他方の側に固定結合され、深さが異なる多数のメイン凹部２４が形成されるとともに、前記のメイン凹部２４とそれぞれ同一の深さを有する多数の補助凹部２６が下降制限段部２５に形成された、下降制限部材２０と、(3) 前記下降制限部材２０に回転可能に結合されるとともに、前記メイン凹部２４に挿入されるメイン突起３４、及び、前記補助凹部２６に挿入される補助突起３６が形成された、押しボタン３０と、(4) 前記押しボタン３０を弾力支持する弾性部材４０を含んでおり、前記押しボタン３０を一定の角度で回転させると、押しボタン３０のメイン突起３４が、下降制限部材２０のメイン凹部２４のうちの、いずれか一つのメイン凹部２４に挿入されるとともに、補助突起３６が補助凹部２６または下降制限段部２５に位置することを特徴とする。
【００２９】
前記容器本体１０の内部には、ゲル状または液状の内容物が収容される。
【００３０】
図４に示されるように、前記容器本体１０は、一方の側に内容物を外部に吐出させる吐出口１２が形成され、他方の側に開放孔１４が形成される。
【００３１】
前記容器本体１０の吐出口１２に隣接してネジ山が形成され、前記開放孔１４に隣接して第１結合突出リング１６が形成される。
【００３２】
前記容器本体１０の一方の側には、容器本体１０の吐出口１２を開閉する容器カバー５０が、さらに結合される。
【００３３】
図５に示されるように、前記容器カバー５０の上部の内周面にはネジ山が形成されて、容器本体１０のネジ山とネジ結合される。
【００３４】
前記容器カバー５０の内側の底面には密閉突起５２が形成され、前記密閉突起５２の外側には密閉突出リング５４が形成されるのであり、容器本体１０と容器カバー５０との結合の際に、前記密閉突起５２が容器本体１０の吐出口１２に挿入され、前記密閉突出リング５４が容器本体１０の吐出口１２の外側に密着することで、前記吐出口１２を密閉させることとなる。
【００３５】
前記下降制限部材２０は、容器本体１０の開放孔１４に挿入された状態で固定結合されて、押しボタン３０の下降距離を調節するようになる。
【００３６】
図４の部分拡大図面に示されるように、前記下降制限部材２０の中央には、第１上方延長突出リング２１が上側へと延長形成されており、前記第１上方延長突出リング２１の外側へと一定の間隔だけ離隔されて、第２上方延長突出リング２２が上側へと延長形成されており、前記第２上方延長突出リング２２の外側へと一定の間隔だけ離隔されて、第３上方延長突出リング２３が上側へと延長形成されている。
【００３７】
前記第１上方延長突出リング２１の内側には、ピストン挿入孔２８が形成されて、押しボタン３０のピストン３８が挿入される。
【００３８】
前記第２上方延長突出リング２２には、互いに深さが異なる多数のメイン凹部２４が形成されており、前記メイン凹部２４は、第２上方延長突出リング２２に垂直に切開されたスリット（ｓｌｉｔ）の形態に形成される。
【００３９】
前記メイン凹部２４は、第１ないし第３メイン凹部２４１、２４２、２４３からなり、前記第１メイン凹部２４１から、第２メイン凹部２４２及び第３メイン凹部２４３へと向かうほど、漸次に深さが深くなるように形成される。
【００４０】
前記第１ないし第３メイン凹部２４１、２４２、２４３は、互いに一定の角度で離れて、第２上方延長突出リング２２上に形成される。本発明の図面では、第１ないし第３メイン凹部２４１、２４２、２４３が、１２０度の間隔で離れて配置されているが、これに限定されず、メイン凹部２４の数に応じて配置角度が多様に変更されうる。
【００４１】
前記第２上方延長突出リング２２の下部内周面には、保管または携帯の際に押しボタン３０が押されないように制限する下降制限段部２５が形成される。
【００４２】
前記下降制限段部２５には、互いに深さが異なる多数の補助凹部２６が形成されるのであり、前記補助凹部２６は、メイン凹部２４の対向側に形成される。
【００４３】
前記補助凹部２６は、第２補助凹部２６２と第３補助凹部２６３で構成され、前記第２補助凹部２６２は、第２メイン凹部２４２と対をなし、前記第３補助凹部２６３は、第３メイン凹部２４３と対をなしており、第１メイン凹部２４１は、対をなす補助凹部２６がなく、下降制限段部２５と対をなすこととなる。
【００４４】
すなわち、前記メイン突起３４が第１メイン凹部２４１に挿入される場合、補助突起３６が下降制限段部２５上に載せられることとなり、これにより、前記押しボタン３０が押し下げられなくなる。また、図６に示されるように、前記押しボタン３０を一定の角度で回転させることで、メイン突起３４が第２メイン凹部２４２に挿入される場合、補助突起３６が第２補助凹部２６２に位置することとなり、これにより、押しボタン３０が加圧されることによって、前記メイン突起３４及び補助突起３６が、第２メイン凹部２４２及び第２補助凹部２６２の中を同時に下降する。また、図８に示されるように、前記押しボタン３０をさらに回転させて、メイン突起３４が第３メイン凹部２４２に挿入される場合、補助突起３６が第３補助凹部２６３に位置するのであり、これにより、押しボタン３０が加圧されることによって、前記メイン突起３４及び補助突起３６が、第３メイン凹部２４３及び第３補助凹部２６３の中を同時に下降する。
【００４５】
これにより、前記押しボタン３０の加圧時に、押しボタン３０が、いずれか一方に傾かずに、水平を維持しながら安定して下降することで、使用の利便性が向上する。
【００４６】
前記第３上方延長突出リング２３の上部の外周面には据え付け段部２３２が形成されて容器本体１０の上端に据え付けられ、前記据え付け段部２３２の外側に第２結合突出リング２３４が突出形成される。
【００４７】
前記押しボタン３０は、下降制限部材２０に回転可能に結合されるのであり、使用者によって押されて、容器本体１０に収容された内容物を外部に吐出させることとなる。
【００４８】
図４の部分拡大図面に示されるように、前記押しボタン３０の中央には、第１下方延長突出リング３１が下側へと延長形成されており、前記第１下方延長突出リング３１の外側へと一定の間隔だけ離隔されて、第２下方延長突出リング３２が下側へと延長形成されており、前記第２下方延長突出リング３２の外側へと一定の間隔だけ離隔されて、第３下方延長突出リング３３が下側へと延長形成される。
【００４９】
前記第１下方延長突出リング３１の下部には、図５に示されるように、ピストン３８が結合されるのであり、前記ピストン３８は、下降制限部材２０のピストン挿入孔２８内周面に密着した状態にて、ピストン挿入孔２８内を上方及び下方へと移動する。
【００５０】
前記第２下方延長突出リング３２は、下降制限部材２０における第１上方延長突出リング２１と第２上方延長突出リング２２との間に挿入され、第３下方延長突出リング３３は、下降制限部材２０における第２上方延長突出リング２２と第３上方延長突出リング２３との間に挿入される。
【００５１】
図４の部分拡大図面に示されるように、前記第２下方延長突出リング３２の外周面には、メイン突起３４及び補助突起３６が、外側へと突出形成される。
【００５２】
前記メイン突起３４及び補助突起３６は、垂直に長く形成されたバーの形態であり、前記メイン突起３４は、下降制限部材２０のメイン凹部２４内にて上方及び下方へと移動するのであり、前記補助突起３６は、下降制限部材２０の補助凹部２６に挿入される。ここで、前記補助凹部２６は、メイン凹部２４と同一の深さを有し、前記メイン凹部２４の対向側に位置する。
【００５３】
前記メイン突起３４及び補助突起３６は、第２下方延長突出リング３２の外側へと突出形成され、図６及び図８に示されるように、前記メイン突起３４の外径は、メイン凹部２４が形成された第２上方延長突出リング２２の内径よりも大きく形成され、補助突起３６の外径は、第２上方延長突出リング２２の内径よりも小さく形成される。
【００５４】
これにより、前記メイン突起３４は、下降制限部材２０のメイン凹部２４に常に挿入された状態に保たれるのであり、前記補助突起３６は、下降制限部材２０の第２上方延長突出リング２２の内周面に接触しない状態で、前記第２上方延長突出リング２２の内側に形成された下降制限段部２５の上部に位置する。
【００５５】
前記メイン突起３４の両側には弾性スリット３４４が形成される。前記弾性スリット３４４は、図４に示されるように、メイン突起３４に隣接する第２下方延長突出リング３２に形成され、第２下方延長突出リング３２を垂直に切開した形態である。
【００５６】
上述したように、本発明に係るスポイト型化粧品容器は、押しボタン３０のメイン突起３４の両側に弾性スリット３４４が形成され、前記メイン突起３４が、下降制限部材２０のメイン凹部２４に常に挿入された状態で保たれるようにすることで、図６及び図８に示されるように、押しボタン３０を強制的に回転させる際に、前記押しボタン３０のメイン突起３４が、弾性スリット３４４によって弾力的に後退することでメイン凹部２４を抜け出て回転するのであり、この後、隣接する他のメイン凹部２４に弾力的に挿入されるようにすることで、前記押しボタン３０が任意に回転しないようにする。
【００５７】
したがって、前記押しボタン３０のメイン突起３４が、遊動してしまって隣接する他の部分に引っ掛かり誤作動を起こすということを防止するのはもちろんであるが、これだけでなく、使用者が、感触を通じて、押しボタン３０の昇降距離が調節されたことを容易に認知することができるようになる。
【００５８】
前記メイン突起３４と補助突起３６とは、上下の長さが同一で、図４に示されるように、押しボタン３０の第１下方延長突出リング３１を基準に、互いに対向側に位置する。
【００５９】
前記第３下方延長突出リング３３の下部には、係止部３３２が外側へと突出形成されており、前記係止部３３２の両側には、係止部３３２が弾力的に動くようにする係止部弾性スリット３３４が形成される。
【００６０】
図５に示されるように、前記係止部３３２は、下降制限部材２０と押しボタン３０とが結合される際、外キャップ６０の内側の下端に引っ掛かることで、前記押しボタン３０が容器本体１０から離脱することを防止するようになる。
【００６１】
前記弾性部材４０は、下降制限部材２０の内側に設置されて、押しボタン３０を弾力支持することとなる。
【００６２】
前記弾性部材４０は、図５に示されるように、下降制限部材２０における第２上方延長突出リング２２と第３上方延長突出リング２３との間に挿入され、前記弾性部材４０の上端は、押しボタン３０の第３下方延長突出リング３３の下端に密着する。
【００６３】
また、前記容器本体１０の開放孔１４に隣接して、外キャップ６０がさらに形成される。
【００６４】
前記外キャップ６０は、容器本体１０及び下降制限部材２０の上部を包み込むようにして、前記容器本体１０の外周面に結合されて、前記下降制限部材２０及び押しボタン３０が、容器本体１０から離脱しないようにする。
【００６５】
前記外キャップ６０は、外壁６１と、前記外壁６１の上部から内側へと延長形成された水平延長片６２と、前記水平延長片６２の下側へと延長形成された下方延長片６３とからなる。
【００６６】
前記外キャップ６０における外壁６１と下方延長片６３との間には、下降制限部材２０における第３上方延長突出リング２３の上部が挿入される。
【００６７】
前記外キャップ６０の下方延長片６３は、下降制限部材２０の第３上方延長突出リング２３の上部を包み込むようにして結合されるのであり、前記下方延長片６３の下端に押しボタン３０の係止部３３２が引っ掛かることとなって、これにより、押しボタン３０が容器本体１０から離脱しないようになっている。
【００６８】
前記外キャップ６０における下部の内周面には、第１結合凹部６６が形成されて、容器本体１０の第１結合突出リング１６と結合されており、上部の内周面には、第２結合凹部６８が形成されて下降制限部材２０の第２結合突出リング２３４と結合される。
【００６９】
以下、添付の図面を参照して、本発明に係る押しボタンの下降距離が調節されるスポイト型化粧品容器の他の実施例を詳細に考察すると、次の通りである。
【００７０】
図１０は、本発明の他の実施例に係るスポイト型化粧品容器の断面図であり、図１１は、本発明の他の実施例に係るスポイト型化粧品容器の押しボタンを押して異種の内容物を混合させる形態を示す部分断面図である。
【００７１】
本発明の他の実施例に係るスポイト型化粧品容器は、異種の内容物を容器本体１０と、下降制限部材２０の内側とに分離して収容して置き、最初の使用の際に、異種の内容物を混合することができる。本発明の他の実施例に係るスポイト型化粧品容器における、内容物を吐出する構造、及び押しボタンの下降距離を調節する構造は、上に説明した本発明の一実施例に係るスポイト型化粧品容器と同一であるので、以下では説明を省略する。
【００７２】
図１０に示されるように、下降制限部材２０の中央の下側へと、内壁２７が延長形成されており、前記内壁２７の外側へと一定の間隔だけ離隔されて、外壁２９が下側へと延長形成される。
【００７３】
前記下降制限部材２０における内壁２７と外壁２９との間には、異種内容物収容空間Ｓが形成されて、前記異種内容物収容空間Ｓに、容器本体１０に収容された内容物とは異なる内容物が収容される。
【００７４】
前記下降制限部材２０の下部には、異種内容物収容空間Ｓを閉鎖する、異種内容物閉鎖部材７０が結合される。
【００７５】
前記異種内容物閉鎖部材７０は、下降制限部材２０の下端に結合される閉鎖部７２と、前記閉鎖部７２の中央の上側へと延長形成される被押圧部７４とからなる。
【００７６】
前記閉鎖部７２は、下降制限部材２０における内壁２７及び外壁２９の下部に結合されて、異種内容物収容空間Ｓを塞ぐこととなる。
【００７７】
前記被押圧部７４は、下降制限部材２０のピストン挿入孔２８に挿入されて、押しボタン３０におけるピストン３８の下部に密着する。
【００７８】
図１１に示されるように、押しボタン３０が最初に加圧されると、前記押しボタン３０の中央下部に結合されたピストン３８が、下側へと移動することで、異種内容物閉鎖部材７０の被押圧部７４を押すこととなり、これと同時に、前記異種内容物閉鎖部材７０が下側へと移動することで、異種内容物閉鎖部材７０の閉鎖部７２が下降制限部材２０から分離される。
【００７９】
これにより、前記異種内容物収容空間Ｓが開放されることで、異種内容物収容空間Ｓに収容されていた内容物が、容器本体１０の内部へと流れ出て、前記容器本体１０に収容されていた内容物と混合される。
【００８０】
前記のように構成された、本発明に係る、押しボタンの下降距離が調節されるスポイト型化粧品容器についての組立方法を説明すると、次の通りである。
【００８１】
本発明に係る、押しボタンの下降距離が調節されるスポイト型化粧品容器を組み立てるためには、まず、図４及び図５に示されるように、容器本体１０の一方の側に容器カバー５０を結合し、前記容器カバー５０の密閉突起５２が容器本体１０の吐出口１２に挿入されるようにし、密閉突出リング５４が容器本体１０の吐出口１２外側に密着するようにして、吐出口１２を遮断する。
【００８２】
次に、前記容器本体１０を逆さまにひっくり返した後、前記容器本体１０の開放孔１４を通じて内容物を充填する。
【００８３】
次に、前記容器本体１０の開放孔１４の上部に、下降制限部材２０を挿入することで、前記下降制限部材２０の据え付け段部２３２が、容器本体１０の上端に据え付けられるようにする。
【００８４】
この際、前記下降制限部材２０に異種内容物閉鎖部材７０が、さらに結合される場合には、まず、下降制限部材２０における内壁２７と外壁２９との間に形成された異種内容物収容空間Ｓに、異種の内容物を充填して置き、前記下降制限部材２０のピストン挿入孔２８に、異種内容物閉鎖部材７０の被押圧部７４を挿入することで前記異種内容物閉鎖部材７０の閉鎖部７２を、下降制限部材２０の内壁２７及び外壁２９に結合して、異種内容物収容空間Ｓを閉鎖し、この後、前記下降制限部材２０を容器本体１０の開放孔１４の上部に挿入する。
【００８５】
次に、前記容器本体１０の上部に外キャップ６０を結合する。この際、前記外キャップ６０が、容器本体１０の一部分と、下降制限部材２０の上部とを包み込むようにすることで、外キャップ６０の第１結合凹部６６に、容器本体１０の第１結合突出リング１６が結合されるようにするとともに、第２結合凹部６８に、下降制限部材２０の第２結合突出リング２３４が結合されるようにして、前記下降制限部材２０を容器本体１０に固定させる。
【００８６】
次に、前記下降制限部材２０における第２上方延長突出リング２２と第３上方延長突出リング２３との間に、弾性部材４０を挿入する。
【００８７】
次に、押しボタン３０における第１下方延長突出リング３１の下部に、ピストン３８を固定結合し、前記押しボタン３０を下降制限部材２０の上部に嵌め合わせる。この際、前記押しボタン３０のピストン３８が、下降制限部材２０のピストン挿入孔２８に挿入され、押しボタン３０の第２下方延長突出リング３２が、下降制限部材２０における第１上方延長突出リング２１と第２上方延長突出リング２２との間に挿入され、押しボタン３０における第３下方延長突出リング３３が下降制限部材２０における第２上方延長突出リング２２と第３上方延長突出リング２３との間に挿入されるようにする。
【００８８】
前記のように、押しボタン３０を下降制限部材２０の上部に嵌め合わせると、前記押しボタン３０の外側へと突出形成された係止部３３２が、係止部弾性スリット３３４によって、弾力的に内側へと押されることで外キャップ６０の下方延長片６３を乗り越えて、前記下方延長片６３の下端に引っ掛かるようになる。これにより、前記押しボタン３０が容器本体１０から離脱されるのを防止することができるようになる。
【００８９】
前記のように組み立てられた、本発明に係る、押しボタンの下降距離が調節されるスポイト型化粧品容器についての使用方法を説明すると、次の通りである。
【００９０】
図６は、本発明の一実施例に係る、スポイト型化粧品容器の押しボタンを回転させる形態を示す平面図であり、図７は、本発明の一実施例に係る、スポイト型化粧品容器の押しボタンを加圧して内容物を吐出させる形態を示す部分断面図であり、図８は、本発明の一実施例に係る、スポイト型化粧品容器の押しボタンをさらに回転させる形態を示す平面図であり、図９は、本発明の一実施例に係る、スポイト型化粧品容器の押しボタンを加圧して、さらに多量の内容物を吐出させる形態を示す部分断面図である。
【００９１】
本発明に係る、押しボタンの下降距離が調節されるスポイト型化粧品容器を使用するためには、図３に示されるように、容器本体１０から容器カバー５０を分離して、吐出口１２を開放する。
【００９２】
まず、相対的に少量の内容物を吐出して使用する場合の使用方法を説明すると、次の通りである。
【００９３】
図６の左側図面に示されるように、押しボタン３０のメイン突起３４は、下降制限部材２０における第１メイン凹部２４１に挿入されており、前記押しボタン３０の補助突起３６は、下降制限部材２０における下降制限段部２５の上端に据え付けられており、前記押しボタン３０が押し下げられていない状態にある。
【００９４】
その後、押しボタン３０を強制的に回転させると、前記押しボタン３０のメイン突起３４が弾性スリット３４４によって弾力的に後退することで第１メイン凹部２４１を抜け出ることとなる。そして、前記押しボタン３０を回転させ続けると、押しボタン３０のメイン突起３４が、下降制限部材２０の第２上方延長突出リング２２の内周面に密着した状態で、回転した後、図６の右側図面に示されるように、第２メイン凹部２４２に弾力的に挿入される。この際、押しボタン３０の補助突起３６は、第２補助凹部２６２の上部に位置する。
【００９５】
その後、図７に示されるように、押しボタン３０を加圧するようになると、前記押しボタン３０におけるメイン突起３４及び補助突起３６が、第２メイン凹部２４２及び第２補助凹部２６２の中を、前記第２メイン凹部２４２及び第２補助凹部２６２の深さだけ、下降することとなる。そして、これと同時に、前記押しボタン３０の下部に結合されたピストン３８が、下降制限部材２０のピストン挿入孔２８の内周面に密着した状態で、下降することとなる。この下降に伴い、ピストン３８が下降する長さだけ、容器本体１０の内部の体積が減小することとなることで、相対的に少量の内容物が、吐出口１２を通じて外部へと吐出される。
【００９６】
次に、相対的に多量の内容物を吐出して使用する場合の使用方法を説明すると、次の通りである。
【００９７】
図８の左側図面に示されるように、押しボタン３０を強制的にさらに回転させると、前記押しボタン３０のメイン突起３４が、下降制限部材２０の第２メイン凹部２４２に挿入されていたところ、弾性スリット３４４によって弾力的に後退することで第２メイン凹部２４２を抜け出ることとなる。そして、前記押しボタン３０を回転し続けると、押しボタン３０のメイン突起３４が、下降制限部材２０における第２上方延長突出リング２２の内周面に密着した状態で回転した後、図８の右側図面に示されるように、第２メイン凹部２４２よりも、さらに深く形成された第３メイン凹部２４３に、弾力的に挿入される。
【００９８】
この際、前記押しボタン３０の補助突起３６は、下降制限部材２０における第２補助凹部２６２の上部に位置していたところ、第３補助凹部２６３の上部に位置するようになる。
【００９９】
その後、図９に示されるように、押しボタン３０を加圧するようになると、前記押しボタン３０におけるメイン突起３４及び補助突起３６が、第３メイン凹部２４３及び第３補助凹部２６３の中を、前記第３メイン凹部２４３及び第３補助凹部２６３の深さだけ下降することとなる。そして、これと同時に、前記押しボタン３０の下部に結合されたピストン３８が、下降制限部材２０のピストン挿入孔２８の内周面に密着した状態で、下降することとなる。これに伴い、ピストン３８が下降する長さだけ、容器本体１０の内部の体積が減小することとなることで、相対的に多量の内容物が、吐出口１２を通じて外部へと吐出される。
【０１００】
また、保管または携帯の際に押しボタン３０が任意に押されないようにするためには、前記押しボタン３０を逆方向に回転させる。
【０１０１】
前記押しボタン３０が逆方向に回転されると、押しボタン３０のメイン突起３４が、下降制限部材２０の第２メイン凹部２４２または第３メイン凹部２４３に挿入されていたところ、弾性スリット３４４によって弾力的に後退することで第２メイン凹部２４２または第３メイン凹部２４３を抜け出るようになる。そして、前記押しボタン３０を逆方向に回転させ続けると、押しボタン３０のメイン突起３４が、下降制限部材２０の第２上方延長突出リング２２の内周面に密着した状態で、回転した後、第１メイン凹部２４１に弾力的に挿入される。この際、前記押しボタン３０の補助突起３６は、下降制限段部２５の上端に据え付けられる。
【０１０２】
上記のように、押しボタン３０の補助突起３６が、下降制限部材２０の下降制限段部２５に引っ掛かり、前記押しボタン３０が押し下げられなくなる。
【０１０３】
その後、再び容器カバー５０を容器本体１０に結合して、吐出口１０を閉鎖した状態で保管すれば良い。
【０１０４】
以上、本発明で説明したことは、押しボタンの下降距離が調節されるスポイト型化粧品容器を実施するための一つの実施例に過ぎず、本発明は、前記実施例に限定されるものではない。添付の請求の範囲で請求するように、本発明の要旨を逸脱せずに、当該発明が属する分野で通常の知識を有する者であれば誰でも多様な変更実施が可能な範囲まで、本発明の範囲に属するものとみなされなければならない。
【符号の説明】
【０１０５】
１０  容器本体
１２  吐出口
１４  開放孔
２０  下降制限部材
２４  メイン凹部
２５  下降制限段部
２６  補助凹部
３０  押しボタン
３４  メイン突起
３６  補助突起
４０  弾性部材
５０  容器カバー
６０  外キャップ
７０  異種内容物閉鎖部材
７２  閉鎖部
７４  被押圧部
Ｓ  異種内容物収容空間
【図１】
2021513446.tif 000003
【図２】
2021513446.tif 000004
【図３】
2021513446.tif 000005
【図４】
2021513446.tif 000006
【図５】
2021513446.tif 000007
【図６】
2021513446.tif 000008
【図７】
2021513446.tif 000009
【図８】
2021513446.tif 000010
【図９】
2021513446.tif 000011
【図１０】
2021513446.tif 000012
【図１１】
2021513446.tif 000013
【国際調査報告】
2021513446.tif 000014
2021513446.tif 000015
2021513446.tif 000016
2021513446.tif 000017